(57)【要約】【課題】  ランドセル等の背負いかばんについて、防犯ブザーを操作しやすいように装着し、また使用中の発汗により不快感を少なくすることにより、より使いやすい背負いかばんを提供する。【解決手段】  ランドセル等の背負いかばんの背負い部において、背負いかばん１０を背負うための背負いベルト１２、１３に固定する縦長の保持体２０を具備し、保持体２０の外面に、防犯ブザー２３を装着するポケット２４を設け、ポケット２４に装着した防犯ブザー２３を取り出すことなく操作可能とするために、防犯ブザー２３の操作部分（２７）をポケット２４の外部に露出させておく。また、背負いベルト１２、１３の結合部１４、１５、１６、１７を相手として、カバン本体１１の背板４１と使用者の背中との間に介在する多孔板構造より成る通気性のスペーサー４０を装着する。【選択図】          図１
0003106357.tif 000002
【実用新案登録請求の範囲】
【請求項１】
ランドセル等の背負いかばんの背負い部において、背負いかばんを背負うための、背負いベルトに固定する縦長の保持体を具備し、保持体の外面に、防犯ブザーを装着するポケットを設け、ポケットに装着した防犯ブザーを取り出すことなく操作可能とするために、防犯ブザーの操作部分をポケットの外部に露出した構成を有することを特徴とする背負いかばん。
【請求項２】
防犯ブザーを装着するポケットは、内部を透視できるようにメッシュ状構造か又は透明な素材より成る請求項１記載の背負いかばん。
【請求項３】
縦長の保持体は、内部を透視できない素材よりなる収納部を有し、そこに収納するキーなどの小物を取り付ける取り付け孔を有している請求項１記載の背負いかばん。
【請求項４】
ランドセル等の背負いかばんの背負い部において、背負いかばんを背負うための、背負いベルトの結合部を相手として、カバン本体の背板と使用者の背中との間に介在する多孔板構造より成る通気性のスペーサーを装着したことを特徴とする背負いかばん。
【請求項５】
通気性のスペーサーは、スペーサーの構造強度を負担するスペーサー本体と、スペーサー本体に重ねて設けられるシート材から成る２重構造を有しており、かばん本体の背板とほぼ同大の大きさを有している請求項４記載の背負いかばん。
【請求項６】
通気性のスペーサーは、背負いベルトの上部取り付け部を通すための通口部を上部に有し、背負いベルトの下部取り付け部に掛けるための弾力性リングを下部左右に有している請求項４記載の背負いかばん。
【考案の詳細な説明】
【技術分野】
【０００１】
本考案は、ランドセル等の背負いかばんの改良に関するものである。
【背景技術】
【０００２】
例えば学童が防犯ブザーをランドセルに装着している様子を見ると、防犯ブザーをナスカンと呼ばれる本体側の金具に直接装着するか、或いは袋の中に収納した上で、その袋を本体側の金具に装着している例が多い。ナスカンはランドセルのマチ部にあるため、背後に離れており、緊急時に操作しにくいという問題があり、また袋の中に収納した場合には防犯ブザーの視覚効果を得ることのできないという問題があった。関連する考案には特開平１１−７５９２４号のものがあるが、これはランドセルのマチ部に小収納体を取り付
け、その中に収めるため、前記の問題の解決には全く役立たない。
【０００３】
また、ランドセルは背負うため両手の自由を得られる反面、背中に背板が密着し、夏期には汗で不愉快な思いをすることとなる。この点に対する改良として、背板の素材を通気性の良好なものとするというようなことが行われているが。素材の改良だけでは発汗対策として不十分であり、このため特開平１０−３３２６０号のような部材を使用する提案がなされている。同号の考案は、通気性のある背当てと称するもので、縦横格子状構造により通気を確保しているが、具体的構成が不明であるため、どのような材料を用いているのか、格子状構造に見える背当てが背中にどのように接触するのか、痛みは生じないのか等の疑問も生ずる。
【０００４】
【特許文献１】特開平１１−７５９２４号
【特許文献２】特開平１０−３３２６０号
【考案の開示】
【考案が解決しようとする課題】
【０００５】
本考案は前記の点に着目してなされたもので、その課題は、ランドセル等の背負いかばんについて、防犯ブザーを操作しやすいように装着し、また使用中の発汗により不快感を少なくすることにより、より使いやすいものとすることである。
【課題を解決するための手段】
【０００６】
前記の課題を解決するため本考案は、ランドセル等の背負いかばんの背負い部におい
て、背負いかばんを背負うための、背負いベルトに固定する縦長の保持体を具備し、保持体の外面に、防犯ブザーを装着するポケットを設け、ポケットに装着した防犯ブザーを取り出すことなく操作可能とするために、防犯ブザーの操作部分をポケットの外部に露出した構成を有するものとするという手段を講じている。
【０００７】
本考案において、縦長の保持体は、背負いベルトに固定する。縦長とは、背負いベルトの方向に長いという意味であり、背負いベルトに固定した状態では上下といって良い方向である。保持体を背負いベルトに固定する方法は任意であるが、例えば保持体に筒状構造を設けてその中に背負いベルトを通すような方法は、まず外れないため望ましい方法の一つである。このベルトに通す方法では、ずれる恐れもあるため、ずれ止めを設けておくと良い。保持体は、防犯ブザーに代表される防犯用の機器を装着するための手段であり、そのためにポケットを設ける。ポケットは、そこに防犯用機器を装着したときに、取り出さなくても操作可能とした構成を有する。例えば防犯ブザーなどは、引き紐で操作しやすくした操作端を有するが、引き紐をポケットの外部に露出させる穴を設けておくことで、咄嗟に操作できるものとなる。
【０００８】
ポケットは、内部を透視できるようにメッシュ状構造とするか、或いは透明な素材を使用して保持体の外面に設けることができる。内部を透視できることにより、例えば防犯ベルとその作動状況を外から目視できるので、視覚による防犯効果が得られる。しかし、保持体には、内部を透視できない素材より成る収納部を設けることも、例えばキーなどをしまっておくためには有用であり、結局、内部を透視可能なものと透視不可のものとの２種を併用することができる。キー類を取り付けるには取り付け孔を保持体に設けて伸縮式の紐などにより結び付けておくと良い。
【０００９】
このような保持体には、反射テープなどを縫い着けるなどして取り付けておくことができる。反射テープ類は、前記した内部を透視できる素材から成るポケットの内部にまで設けられ、しかも光再帰性反射効果を発揮し得る。なお、この保持体は縦長であり、そのほぼ全長にわたって背負いベルトに通して取り付けることにより、背負いベルトと一体化
し、ぶらつくことがない。
【００１０】
本考案の背負いかばんにおいては、かばん本体の背板と使用者の背中との間に介在する多孔板構造より成る通気性のスペーサーを装着することができる。この多孔板構造は、背板と背中に挟まれて弾力的に変形可能な、プラスチック製であることが好ましい結果をもたらす。例えば、格子状構造、或いはメッシュ状構造を有するプラスチック製品は本考案におけるスペーサーとして、弾力性があり、汗により変質せず、身体に害を及ぼさない等の見地から好適な素材の一つと言えるであろう。
【００１１】
通気性のスペーサーは、スペーサーの構造強度を負担するスペーサー本体と、スペーサー本体に重ねて設けられるシート材から成る２重構造を有し、かばん本体の背板とほぼ同大の大きさを有していることが望ましい。２重或いは２層といっても良い構成とすることにより、２層間に通気部を生じており、しかも１層は使用者の背に接し、他の１層はかばん本体に接し、各層は相対的に動き得るので通気性はより良好となる。
【００１２】
通気性のスペーサーは、背負いベルトの上部取り付け部を通すための通口部を上部に有し、背負いベルトの下部取り付け部に掛けるための弾力性リングを下部左右に有してい
る。この構成により通気性スペーサーをかばん本体に確実かつ容易に取り付けられ、発汗対策の必要がなくなった季節には取り外しておくことができる。また、背負いベルトの上部取り付け部に通口部を通すので、使用中に通気性スペーサーがしっかりと固定され、ずれにくいため使用上の不具合を感じるおそれもない。
【考案の効果】
【００１３】
本考案は以上の如く構成されかつ作用するものであるから、ランドセル等の背負いかばんについて、防犯ブザーを背負いベルトに取り付けられ、しかも防犯ブザーの操作部分を外部から操作可能に露出させているので、咄嗟の場合にもすぐに手が届き、防犯上有効性が高いとともに、多孔板構造より成る通気性のスペーサーにより発汗を抑制し、不快感を低減することができるという効果を奏する。
【考案を実施するための最良の形態】
【００１４】
以下図示の実施形態を参照して本考案をより詳細に説明する。図１は背負いかばん１０であるランドセルに本考案を適用した場合の例示であり、１１はかばん本体、１２、１３は左右の背負いベルトで、その上部取り付け部１４、１５は背カンと通称される部分に、またその下部取り付け部１６、１７はダルマカンと通称される部分に結合されている。この内、背負いベルト１２、１３は、バックル１８、１９の部分で着脱し長さ調節可能になっている。
【００１５】
保持体２０は縦長に形成されており、背負いベルト１２、１３に通したときに内側つまり身体側に来る部分には弾力性材を充填したパッド２１が設けられ、外側つまり手で操作し易い側には表布２２がパッド２１とともに筒状構造を作るように設けられ、さらにその表布２２の外面に防犯ブザー２３を装着するポケット２４が設けられている。例示のポケット２４はメッシュ状素材を、上辺と、下辺の一部を残して保持体２０に縫い着けたもので、下辺の一部は、防犯ブザー２３の操作端２６及びそれに取り付けた引き紐２７を外部へ出すための口部２５になっている。２８は反射テープであり、保持体２０のほぼ全長に及び縫製により設けられている。２９はずれ止めであり、上部取り付け部１４に取り付けられる。
【００１６】
例示のものでは、もう一つの保持体３０が用意されており、これも縦長に設けられ、同様のパッド３１と筒状構造をなす表布３２から成り、表布３２の外面に、内部を透視できない素材より成る収納部３４が設けられている。収納部３４にはキーなどの小物３３を入れられるようになっており、小物３３を紐など３５により結び付けておくための取り付け孔３６が保持体３０にハトメなどにより設けられている。３８は反射テープであり、保持体３０のほぼ全長に及んで縫製により設けられている。また３９はずれ止めであり、上部取り付け部１４に取り付けられる。
【００１７】
さらに本考案では、かばん本体１１の背板４１と使用者の背中との間に介在する多孔板構造より成る通気性のスペーサー４０が装着されている。例示のスペーサー４０は、数ミリメートル角の格子状構造を有し、スペーサー４０の構造強度を負担するスペーサー本体４２と、スペーサー本体４２に重ねて設けられ約１ミリメートル角の穴明き構造を有するメッシュ状のシート材４３から成る２重構造を持ち、カバン本体１１の背板４１とほぼ同大の大きさを有している。
【００１８】
通気性のスペーサー４０をかばん本体１１に取り付ける手段として、背負いベルト１２、１３の上部取り付け部１４、１５を通すための通口部４４を上部に設け、また、背負いベルト１２、１３の下部取り付け部１８、１９に掛けるための弾力性リング４５、４６を下部左右に設けている。４７はスペーサー縁取りを示す。
【００１９】
このように構成された本考案に係る背負いかばんでは、背負いベルトの一方１２に内部を透視できるポケット２４を持った保持体２０を装着し、また背負いベルトの他方１３に内部を透視できない収納部３４を持った保持体３０を装着することができる。保持体２０、３０は、背負いベルト１２、１３を筒状構造内に挿し通すとともに、ずれ止め２９、３９を上部取り付け部１４、１５に取り付けることによって、定位置に装着されるので、防犯ベル２３の引き紐２７を引く操作をし易い。またスペーサー４０は背負いベルト１２、１３を通口部４４に通して上部取り付け部１４、１５に嵌め合わせ、かつ弾力性リング４５、４６を下部取り付け部１６、１７に掛け止めて取り付けるが、その際、目の細いシート材４３の方を外側にすると背中への当たりが柔らかくなる。
【図面の簡単な説明】
【００２０】
【図１】本考案に係る背負いかばんの実施例を示す分解斜視図。
【図２】同上の下面図。
【図３】同じく側面図。
【符号の説明】
【００２１】
１０  背負いかばん
１１  かばん本体
１２、１３  背負いベルト
１４、１５  上部取り付け部
１６、１７  下部取り付け部
２０、３０  保持体
２１、３１  パッド
２２、３２  表布
２３  防犯ブザー
２４  ポケット
２５  口部
２６  操作端
２７  引き紐
２８、３８  反射テープ
２９、３９  ずれ止め
３４  収納部
３５  紐など
３６  取り付け孔
４０  スペーサー
４１  背板
４２  スペーサー本体
４３  シート材
４４  通口部
４５、４６  弾力性リング
【図１】
0003106357.tif 000003
【図２】
0003106357.tif 000004
【図３】
0003106357.tif 000005
【手続補正書】
【提出日】平成16年9月10日(2004.9.10)
【手続補正１】
【補正対象書類名】実用新案登録請求の範囲
【補正対象項目名】全文
【補正方法】変更
【補正の内容】
【実用新案登録請求の範囲】
【請求項１】
ランドセル等の背負いかばんの背負い部において、背負いかばんを背負うための、背負いベルトに固定する縦長の保持体を具備し、保持体の外面に、防犯ブザーを装着するポケットを設け、ポケットに装着した防犯ブザーを取り出すことなく操作可能とするために、防犯ブザーの操作部分をポケットの外部に露出した構成を有することを特徴とする背負いかばん。
【請求項２】
防犯ブザーを装着するポケットは、内部を透視できるようにメッシュ状構造か又は透明な素材より成る請求項１記載の背負いかばん。
【請求項３】
縦長の保持体は、内部を透視できない素材よりなる収納部を有し、そこに収納するキーなどの小物を取り付ける取り付け孔を有している請求項１記載の背負いかばん。
【手続補正２】
【補正対象書類名】明細書
【補正対象項目名】全文
【補正方法】変更
【補正の内容】
【考案の詳細な説明】
【技術分野】
【０００１】
本考案は、ランドセル等の背負いかばんの改良に関するものである。
【背景技術】
【０００２】
例えば学童が防犯ブザーをランドセルに装着している様子を見ると、防犯ブザーをナスカンと呼ばれる本体側の金具に直接装着するか、或いは袋の中に収納した上で、その袋を本体側の金具に装着している例が多い。ナスカンはランドセルのマチ部にあるため、背後に離れており、緊急時に操作しにくいという問題があり、また袋の中に収納した場合には防犯ブザーの視覚効果を得ることのできないという問題があった。関連する考案には特開平１１−７５９２４号のものがあるが、これはランドセルのマチ部に小収納体を取り付け、その中に収めるため、前記の問題の解決には全く役立たない。
【０００３】
【特許文献１】特開平１１−７５９２４号
【考案の開示】
【考案が解決しようとする課題】
【０００４】
本考案は前記の点に着目してなされたもので、その課題は、ランドセル等の背負いかばんについて、防犯ブザーを操作しやすいように装着することにより、より使いやすいものとすることである。
【課題を解決するための手段】
【０００５】
前記の課題を解決するため本考案は、ランドセル等の背負いかばんの背負い部において、背負いかばんを背負うための、背負いベルトに固定する縦長の保持体を具備し、保持体の外面に、防犯ブザーを装着するポケットを設け、ポケットに装着した防犯ブザーを取り出すことなく操作可能とするために、防犯ブザーの操作部分をポケットの外部に露出した構成を有するものとするという手段を講じている。
【０００６】
本考案において、縦長の保持体は、背負いベルトに固定する。縦長とは、背負いベルトの方向に長いという意味であり、背負いベルトに固定した状態では上下といって良い方向である。保持体を背負いベルトに固定する方法は任意であるが、例えば保持体に筒状構造を設けてその中に背負いベルトを通すような方法は、まず外れないため望ましい方法の一つである。このベルトに通す方法では、ずれる恐れもあるため、ずれ止めを設けておくと良い。保持体は、防犯ブザーに代表される防犯用の機器を装着するための手段であり、そのためにポケットを設ける。ポケットは、そこに防犯用機器を装着したときに、取り出さなくても操作可能とした構成を有する。例えば防犯ブザーなどは、引き紐で操作しやすくした操作端を有するが、引き紐をポケットの外部に露出させる穴を設けておくことで、咄嗟に操作できるものとなる。
【０００７】
ポケットは、内部を透視できるようにメッシュ状構造とするか、或いは透明な素材を使用して保持体の外面に設けることができる。内部を透視できることにより、例えば防犯ベルとその作動状況を外から目視できるので、視覚による防犯効果が得られる。しかし、保持体には、内部を透視できない素材より成る収納部を設けることも、例えばキーなどをしまっておくためには有用であり、結局、内部を透視可能なものと透視不可のものとの２種を併用することができる。キー類を取り付けるには取り付け孔を保持体に設けて伸縮式の紐などにより結び付けておくと良い。
【０００８】
このような保持体には、反射テープなどを縫い着けるなどして取り付けておくことができる。反射テープ類は、前記した内部を透視できる素材から成るポケットの内部にまで設けられ、しかも光再帰性反射効果を発揮し得る。なお、この保持体は縦長であり、そのほぼ全長にわたって背負いベルトに通して取り付けることにより、背負いベルトと一体化し、ぶらつくことがない。
【考案の効果】
【０００９】
本考案は以上の如く構成されかつ作用するものであるから、ランドセル等の背負いかばんについて、防犯ブザーを背負いベルトに取り付けられ、しかも防犯ブザーの操作部分を外部から操作可能に露出させているので、咄嗟の場合にもすぐに手が届き、防犯上有効性が高いという効果を奏する。
【考案を実施するための最良の形態】
【００１０】
以下図示の実施形態を参照して本考案をより詳細に説明する。図１は背負いかばん１０であるランドセルに本考案を適用した場合の例示であり、１１はかばん本体、１２、１３は左右の背負いベルトで、その上部取り付け部１４、１５は背カンと通称される部分に、またその下部取り付け部１６、１７はダルマカンと通称される部分に結合されている。この内、背負いベルト１２、１３は、バックル１８、１９の部分で着脱し長さ調節可能になっている。
【００１１】
保持体２０は縦長に形成されており、背負いベルト１２、１３に通したときに内側つまり身体側に来る部分には弾力性材を充填したパッド２１が設けられ、外側つまり手で操作し易い側には表布２２がパッド２１とともに筒状構造を作るように設けられ、さらにその表布２２の外面に防犯ブザー２３を装着するポケット２４が設けられている。例示のポケット２４はメッシュ状素材を、上辺と、下辺の一部を残して保持体２０に縫い着けたもので、下辺の一部は、防犯ブザー２３の操作端２６及びそれに取り付けた引き紐２７を外部へ出すための口部２５になっている。２８は反射テープであり、保持体２０のほぼ全長に及び縫製により設けられている。２９はずれ止めであり、上部取り付け部１４に取り付けられる。
【００１２】
例示のものでは、もう一つの保持体３０が用意されており、これも縦長に設けられ、同様のパッド３１と筒状構造をなす表布３２から成り、表布３２の外面に、内部を透視できない素材より成る収納部３４が設けられている。収納部３４にはキーなどの小物３３を入れられるようになっており、小物３３を紐など３５により結び付けておくための取り付け孔３６が保持体３０にハトメなどにより設けられている。３８は反射テープであり、保持体３０のほぼ全長に及んで縫製により設けられている。また３９はずれ止めであり、上部取り付け部１４に取り付けられる。
【００１３】
かばん本体１１の背板４１と使用者の背中との間に介在する多孔板構造より成る通気性のスペーサー４０が装着されている。例示のスペーサー４０は、数ミリメートル角の格子状構造を有し、スペーサー４０の構造強度を負担するスペーサー本体４２と、スペーサー本体４２に重ねて設けられ約１ミリメートル角の穴明き構造を有するメッシュ状のシート材４３から成る２重構造を持ち、カバン本体１１の背板４１とほぼ同大の大きさを有している。
【００１４】
通気性のスペーサー４０をかばん本体１１に取り付ける手段として、背負いベルト１２、１３の上部取り付け部１４、１５を通すための通口部４４を上部に設け、また、背負いベルト１２、１３の下部取り付け部１８、１９に掛けるための弾力性リング４５、４６を下部左右に設けている。４７はスペーサー縁取りを示す。
【００１５】
このように構成された本考案に係る背負いかばんでは、背負いベルトの一方１２に内部を透視できるポケット２４を持った保持体２０を装着し、また背負いベルトの他方１３に内部を透視できない収納部３４を持った保持体３０を装着することができる。保持体２０、３０は、背負いベルト１２、１３を筒状構造内に挿し通すとともに、ずれ止め２９、３９を上部取り付け部１４、１５に取り付けることによって、定位置に装着されるので、防犯ベル２３の引き紐２７を引く操作をし易い。またスペーサー４０は背負いベルト１２、１３を通口部４４に通して上部取り付け部１４、１５に嵌め合わせ、かつ弾力性リング４５、４６を下部取り付け部１６、１７に掛け止めて取り付けるが、その際、目の細いシート材４３の方を外側にすると背中への当たりが柔らかくなる。
【図面の簡単な説明】
【００１６】
【図１】本考案に係る背負いかばんの実施例を示す分解斜視図。
【図２】同上の下面図。
【図３】同じく側面図。
【符号の説明】
【００１７】
１０  背負いかばん
１１  かばん本体
１２、１３  背負いベルト
１４、１５  上部取り付け部
１６、１７  下部取り付け部
２０、３０  保持体
２１、３１  パッド
２２、３２  表布
２３  防犯ブザー
２４  ポケット
２５  口部
２６  操作端
２７  引き紐
２８、３８  反射テープ
２９、３９  ずれ止め
３４  収納部
３５  紐など
３６  取り付け孔
【手続補正３】
【補正対象書類名】図面
【補正対象項目名】全図
【補正方法】変更
【補正の内容】
【図１】
0003106357.tif 000006
【図２】
0003106357.tif 000007
【図３】
0003106357.tif 000008